(57)【要約】【課題】ルーバの配置角度が異なる複数の光路規制部材を組み付ける際の順序を規制して光路規制部材の誤組みのない計器用指針を提供する。【解決手段】指針用発光ダイオード（光源）からの光を受光する受光部２６と、この受光部２６からの光によって光輝する指示部５と、この指示部５の表面から出射される光の出射方向を規制する光路規制部材と、遮光カバー２４とを備えた計器用指針６において、光路規制部材は複数のルーバ３２を有する第１および第２の光路規制部材２１，２２からなり、第１の光路規制部材２１のルーバ３２の延長方向と第２の光路規制部材２２のルーバ３２の延長方向とが交差するようになっているとともに、第１および第２の光路規制部材２１，２２を遮光カバー２４に組み付ける際の順序を規制する規制手段を備える。【選択図】図３
2007155353.tif 000002
【特許請求の範囲】
【請求項１】
光源からの光を受光する受光部と、この受光部からの光によって光輝する指示部と、この指示部の表面に配置され前記表面から出射される光の出射方向を規制する光路規制部材と、この光路規制部材の周縁および前記指示部の側面を覆う前部と前記受光部の上方および周囲を覆う中央部を有する遮光カバーとを備えた計器用指針において、前記光路規制部材は平行に配置された複数のルーバを有する第１および第２の光路規制部材からなり、前記第１の光路規制部材の前記ルーバの延長方向と前記第２の光路規制部材の前記ルーバの延長方向とが交差するようになっているとともに、前記第１および第２の光路規制部材を前記遮光カバーに組み付ける際の順序を規制する規制手段が備えられていることを特徴とする計器用指針。
【請求項２】
前記規制手段が前記中央部に設けられていることを特徴とする請求項１に記載の計器用指針。
【請求項３】
前記規制手段が前記第１および第２の光路規制部材か前記遮光カバーのいずれか一方に設けられた規制部と、他方に設けられた被規制部とからなることを特徴とする請求項１または請求項２に記載の計器用指針。
【発明の詳細な説明】
【技術分野】
【０００１】
本発明は、光源からの光を受けて光輝する指示部を有する計器用指針に関し、特に指示部から出射される光の出射方向を規制する光路規制部材を備えた計器用指針に関するものである。
【背景技術】
【０００２】
例えば、車両に装着されている速度計やエンジン回転計などの計器にあっては、夜間など周囲が暗い時に計器の表示部や指針が暗くて見づらくなるので、光源からの光によって文字板の表示部や指針を透過照明させて視認性を向上させている。その際、表示部や指針などから出射した光が車両のフロントガラスやサイドガラスに照射して計器の像が映り、視界が妨げられるということがある。そこで、この様な点を解消するために、文字板および指針に光制御素子を組み込み、文字板や指針から出射される光が車両のフロントガラスやサイドガラスに窓映りしにくい様にしている（例えば、下記特許文献１参照）。
【０００３】
上記特許文献１に記載の車載用表示装置によれば、文字板１８に於いては、ルーバ２７の延長方向が横方向のライトコントロールフィルム２５（光制御素子）を樹脂板２４間に挟み込んで、表示部から出射される透過表示光のうち上下方向の光をルーバ２７により遮光し、これによりフロントガラス２３面での光の窓映りを解消させるというものである。
【０００４】
また、指針１６に於いては、指針本体２８の表面にルーバ２９の延長方向が指針１６の長手方向に対し直交するライトコントロールフィルム３０（光制御素子）を配設し、さらに指針本体２８の長手方向両側面に指針本体２８の表面より突き出る遮光用の庇３２を形成したものである。これにより、指針本体２８の表面から出射して指針１６の長手方向に向かう光はルーバ２９で遮られ、長手方向に直交する方向に向かう光は遮光用の庇３２によって遮られるものである。
【特許文献１】特開２００１−２８１５９２号公報
【発明の開示】
【発明が解決しようとする課題】
【０００５】
車両用の計器はダッシュボードの少し奥まった位置に装着されることが多く、フロントガラスには窓映りしにくい構造となっている。そのため、文字板に関してはルーバの延長方向が縦方向のライトコントロールフィルムを用いれば、車両のサイドガラスへの窓映りも防ぐことができるが、指針に関しては、指針の回動によってサイドガラスへ窓映りすることがある。上記特許文献１の指針１６に於いては、庇３２の突き出し高さが高ければ影響少ないが、特に指針１６は回動するため、高さが低いと回動位置によっては指針１６の長手方向以外の方向に向かった光がサイドガラスに窓映りする可能性がある。窓映りを防止するために庇３２の高さを殊更高くすると、デザイン的に見苦しくなったり、回動位置によっては庇３２によって指針本体２８の光輝面の可視範囲が狭まり、視認性が低下することもある。
【０００６】
この様な点を改善するために、特に回動する指針に於いては、その表面にルーバの延長方向が直交する２枚の光路規制部材（前述の光制御素子に相当）を重ねて配置することが考えられる。この様に構成することによって、指針の表面から出射される光の方向が光路規制部材によって規制され、指針の位置が任意であってもガラス面への窓映りが抑えられるというものである。ここで、２枚の光路規制部材の違いがルーバの配置角度が異なるのみであると、指針の表面に光路規制部材を配置する際に、ルーバの配置角度が同一である光路規制部材を２枚組み付けてしまう虞がある。
【０００７】
本発明はこの様な点に鑑みなされたもので、ルーバの配置角度が異なる複数の光路規制部材を組み付ける際の順序を規制して光路規制部材の誤組みのない計器用指針を提供することを目的とする。
【課題を解決するための手段】
【０００８】
本発明は前記目的を達成するため、光源からの光を受光する受光部と、この受光部からの光によって光輝する指示部と、この指示部の表面に配置され前記表面から出射される光の出射方向を規制する光路規制部材と、この光路規制部材の周縁および前記指示部の側面を覆う前部と前記受光部の上方および周囲を覆う中央部を有する遮光カバーとを備えた計器用指針において、前記光路規制部材は平行に配置された複数のルーバを有する第１および第２の光路規制部材からなり、前記第１の光路規制部材の前記ルーバの延長方向と前記第２の光路規制部材の前記ルーバの延長方向とが交差するようになっているとともに、前記第１および第２の光路規制部材を前記遮光カバーに組み付ける際の順序を規制する規制手段が備えられているものである。
【０００９】
また、前記位置規制手段が前記中央部に設けられているものである。
【００１０】
また、前記位置規制手段が前記第１および第２の光路規制部材か前記遮光カバーのいずれか一方に設けられた規制部と、他方に設けられた被規制部とからなるものである。
【発明の効果】
【００１１】
ルーバの配置角度が異なる複数の光路規制部材を組み付ける際の順序を規制して光路規制部材の誤組みのない計器用指針を得ることができる。
【発明を実施するための最良の形態】
【００１２】
本発明の計器用指針が適用された車両用の計器を実施形態として説明する。図１は計器の部分正面図であり、図２は計器の部分断面図（図１に於けるＡ−Ａ断面）である。図３は計器用指針を裏側から見た分解斜視図である。図４は計器用指針の断面図（図１に於けるＢ−Ｂ断面）である。図５は遮光カバーに第２の光路規制部材を組み付けた状態図であり、図６は遮光カバーに第２の光路規制部材と第１の光路規制部材を組み付けた状態図である。
【００１３】
計器は、例えば指針式の回転計１を備えている。回転計１は、硬質な回路基板２と、この回路基板２の裏面側に回路基板２と導通状態で装着され、回路基板２を貫通して前方に延びる回動軸３を有する計器本体４と、指示部５を備えた計器用指針６と、この計器用指針６の背後に配置され指示部５の指示対象となる車両のエンジン回転数を現す目盛，数字などの表示部７が施された文字板８と、この文字板８の背後に配置された拡散板９と、文字板８と拡散板９との間に配置された文字板用光路規制部材１０と、文字板８，文字板用光路規制部材１０および拡散板９が保持される保持部材１１を備えている。
【００１４】
また、回路基板２の裏面側を覆う合成樹脂製のカバー１２と、文字板８の周縁前方側に配置され文字板８の可視領域を定める開口部１３を有する例えば黒色の合成樹脂からなる見返し部材１４と、文字板８や見返し部材１４などの前方側に配置された例えば黒色透明な合成樹脂からなる透視板１５と、回動軸３周囲の回路基板２上に実装され計器用指針６の指示部５を照明する光源としての指針用発光ダイオード１６と、文字板８の表示部７を照明する光源としての文字板用発光ダイオード１７を備えている。なお、透視板１５は無色透明であっても良い。
【００１５】
計器用指針６は、図３に示す様に、指針軸１８を有する指針座１９と、指示部５を有する指示体２０と、第１の光路規制部材２１と、第２の光路規制部材２２と、銅合金からなるバランサー２３と、遮光カバー２４とを備えている。指示体２０は無色透明な合成樹脂からなり、裏面に例えば赤色と黒色からなる２層箔２５がホットスタンプされた（文字板８側が黒色の箔）細長状の指示部５と、受光部２６や反射面２７が設けられた基部２８を有している。
【００１６】
指針座１９は例えば黒色の合成樹脂からなり、指示体２０の基部２８下方を覆う略円形状のフランジ部２９と、このフランジ部２９の中心から下方に延びる指針軸１８を有しており、指針軸１８を計器本体４の回動軸３の先端側に圧入することによって計器用指針６が計器本体４に固着される。また、指示体２０の受光部２６に対応したフランジ部２９箇所には開口穴３０が設けてあり、この開口穴３０に受光部２６の受光面３１側が入るようになっている。
【００１７】
第１の光路規制部材２１および第２の光路規制部材２２は、例えば住友スリーエム製の「ライトコントロールフィルム」からなり、平行に配置された複数のルーバ３２を例えば透明なポリエチレンテレフタレートフィルムで挟み込んで一体化したもので、通過する光の方向を規制する役目を持っている。図３の第１の光路規制部材２１および第２の光路規制部材２２に部分的に記した破線がルーバ３２の配置方向を示すものである。すなわち、第１の光路規制部材２１に於いては、複数のルーバ３２の配置方向（角度）は第１の光路規制部材２１の長手方向であり、第２の光路規制部材２２に於いては、複数のルーバ３２の配置方向（角度）は第２の光路規制部材２２の長手方向に直交する方向に平行に配置してある。つまり、第１の光路規制部材２１のルーバ３２の延長方向と第２の光路規制部材２２のルーバ３２の延長方向との成す角度が９０度で交差するようになっている。
【００１８】
遮光カバー２４は、遮光性のある例えば黒色の合成樹脂からなり、指示体２０の基部２８の上方および周囲を覆う略円筒状の中央部３３と、第２の光路規制部材２２の表面周縁および指示体２０の指示部５の側面を覆う細長状の前部３４と、バランサー２３を覆う後部３５を有している。そして、遮光カバー２４内にバランサー２３，第１の光路規制部材２１，第２の光路規制部材２２，指示体２０，指針座１９のフランジ部２９が配置されるようになっている。第１の光路規制部材２１が指示部５の表面に配置され、この第１の光路規制部材２１上に第２の光路規制部材２２が積層配置される。また、遮光カバー２４の前部３４にはスリット３６が設けてあり、このスリット３６を設けることによって第２の光路規制部材２２の表面周縁が前部３４で覆われるというものである。
【００１９】
第１および第２の光路規制部材２１，２２は、遮光カバー２４の前部３４内に配置される細長状の前側部３７と、中央部３３内に配置される規制部としての（規制手段でもある）幅広部３８，３８Ａを有している。第１および第２の光路規制部材２１，２２の前側部３７は同一形状であり、指示体２０の指示部５の形状とほぼ一致している。幅広部３８，３８Ａの形状は第１の光路規制部材２１と第２の光路規制部材２２とでは異なり、第１の光路規制部材２１の幅広部３８は中央部３３内のほぼ中央に位置するようにしてある。第２の光路規制部材２２の幅広部３８Ａは遮光カバー２４の前部３４寄りの中央部３３内に位置し、切り欠き３９が設けてある。
【００２０】
遮光カバー２４の中央部３３内には、被規制部としての（規制手段でもある）例えばリブ状の突出部が前壁４０より一体に設けてある。第１の突出部４１と分割された第２の突出部４２は、前部３４の長手方向と直交する方向の中央部３３中心を通る中心線（図示せず）を挟んで左右に設けてある。第３の突出部４３は、前部３４の長手方向に沿った中央部３３内のほぼ中央に設けられており、一端が第２の光路規制部材２２に設けられた切り欠き３９に入るようになっている。第３の突出部４３の高さは、第２の光路規制部材２２の厚さとほぼ同じであり、第１，第２の突出部４１，４２の高さは、第１および第２の光路規制部材２１，２２を積層した厚さより高くしてある。
【００２１】
上述した計器用指針６は、例えば以下のようにして組み付ける。遮光カバー２４を逆さにした状態で、後部３５内にバランサー２３を配置する。次に、第２の光路規制部材２２を前部３４および中央部３３に配置する。この際、幅広部３８Ａが第２の突出部４２と前部３４側の周壁４４に沿って設けられた第４の突出部４５との間（或いは、第２の突出部４２と前部３４側の周壁４４との間でも良い）に位置決めされた状態で配置される。前側部３７は遮光カバー２４の前部３４との間で位置決めされる。切り欠き３９には上述した様に第３の突出部４３が入る（図５参照）。
【００２２】
次に、第１の光路規制部材２１を第２の光路規制部材２２に積層する。この際、第１の光路規制部材２１の幅広部３８が第１の突出部４１と第２の突出部４２との間に位置決めされた状態で配置される。第３の突出部４３は第１の光路規制部材２１の支えとなり、第１の光路規制部材２１を配置した後は、裏側からは見えなくなる。また、第１の光路規制部材２１を配置した後であっても、第２の光路規制部材２２の幅広部３８Ａが見える様になっている（図６参照）。
【００２３】
なお、第１の光路規制部材２１を先に遮光カバー２４内に配置しようとすると、第３の突出部４３に幅広部３８が乗り上げてしまい、組み付け順序が間違っていることに気づく。この様に、第３の突出部４３は第１の光路規制部材２１の支えであると同時に、組み付け順序を規制して誤組みを防ぐ被規制部でもある。
【００２４】
その後、フランジ部２９に指示体２０を組み込んだ指針座１９を遮光カバー２４の裏側から挿入して、指示体２０の指示部５を前部３４内に配置するとともに、フランジ部２９の縁部を遮光カバー２４の周壁４４に設けられた図示しない係止部に係止させることによって、計器用指針６の組み付けが完了する。
【００２５】
保持部材１１は、遮光性のある例えば白色の合成樹脂からなり、指針用発光ダイオード１６を囲むように文字板８と回路基板２との間に配置された筒部４６と、文字板用発光ダイオード１７の周りに傾斜して配置された反射壁４７と、拡散板９などが載置される載置部４８などを有している。
【００２６】
文字板８は、無色透明な基板の表面側に表示部７となる部分を除いて黒色の遮光層（図示せず）を印刷して地部４９を形成してある。なお、図１に於いては表示部７を黒色で、地部４９を無色で示す。文字板用光路規制部材１０は、前述した第１の光路規制部材２１あるいは第２の光路規制部材２２と同等のものであるが、ルーバの配置方向（角度）は縦方向（図１に於いて、ルーバが左右方向に平行に並ぶ様）に配置してある。
【００２７】
拡散板９は、光透過性である例えば白色半透明の合成樹脂からなる。この拡散板９は、文字板用発光ダイオード１７からの光を拡散させながら文字板８側に出射して、文字板８の表示部７をほぼ均一に透過照明させるものである。従って、白色半透明材に限定するものではなく、無色透明材に例えば白色透過層を印刷するか、微細なシボを施しても良い。なお、満足する透過照明が得られるなら拡散板９は無くとも良い。
【００２８】
この様に構成された計器用指針６は、例えば赤色で発光する指針用発光ダイオード１６が発光すると、指示体２０の受光面３１から受光部２６に入射した光が反射面２７に反射して指示部５側に導かれ、２層箔２５の赤色の箔に反射して指示部５の表面から出射される。この光が第１および第２の光路規制部材２１，２２を通って遮光カバー２４のスリット３６から出射されて赤色で視認される。
【００２９】
この際、指示部５の表面から出射された光は第１の光路規制部材２１によって指示部５の長手方向に直交する方向に向かう光が規制され、第２の光路規制部材２２によって指示部５の長手方向に向かう光が規制されるため、第２の光路規制部材２２から出射した光は指示部５の長手方向および長手方向に直交する方向の両方向に向かう光が規制される。従って、計器用指針６が回動した際であっても車両のサイドガラスに窓映りしにくいものである。
【００３０】
また、文字板８の表示部７は、例えば白色で発光する文字板用発光ダイオード１７が発光すると、照明光は拡散板９を直射、あるいは保持部材１１の反射壁４７に反射して拡散板９を照射する。そして、拡散板９によって拡散された光が文字板用光路規制部材１０を通って文字板８側に向かい、表示部７が白色で視認される。この際、文字板用光路規制部材１０によって通過する光の方向が規制されるため、表示部７から出射される光が左右方向に向かわない。すなわち、出射光が車両のサイドガラスに窓映りしないようになっている。
【００３１】
前述した様に、第１および第２の光路規制部材２１，２２の幅広部３８，３８Ａと遮光カバー２４に設けた各突出部４１〜４３，４５とによって、ルーバ３２の配置角度が異なる第１および第２の光路規制部材２１，２２を遮光カバー２４に組み付ける際の順序を規制して誤組みを防ぐことができる。また、第１の光路規制部材２１を配置した後であっても、第２の光路規制部材２２の幅広部３８Ａが見える様になっているため、第１および第２の光路規制部材２１，２２が確実に組み込まれていることが確認できる。
【００３２】
また、第１および第２の光路規制部材２１，２２の幅広部３８，３８Ａと各突出部４１〜４３，４５とを指示体２０の基部２８を覆う遮光カバー２４の中央部３３内に設けることにより、他の箇所に設ける必要が無く、計器用指針６のデザインを変える必要もない。また、規制手段が幅広部３８，３８Ａと各突出部４１〜４３，４５からなるため、単純な構造でもって第１および第２の光路規制部材２１，２２を遮光カバー２４に組み付ける際の順序を規制して光路規制部材の誤組みを防ぐことができる。
【００３３】
なお、本発明は前記実施形態に限定されるものではなく、例えば被規制部として遮光カバー２４の中央部３３内にリブ状の各突出部を設け、規制部として第１および第２の光路規制部材２１，２２に幅広部３８，３８Ａを設けたが、規制部および被規制部（即ち、規制手段）の方法や形状は任意である。また、第１および第２の光路規制部材２１，２２のルーバの配置方向は逆であっても良い。また、第１および第２の光路規制部材２１，２２を被規制部とし、遮光カバー２４を規制部としても良い。
【００３４】
また、指針座１９を設けないで、指示体２０の基部２８から計器本体４の回動軸３に圧入される指針軸１８を一体に設けても良い。また、指示部５と基部２８とは別体であっても良い。また、第１の光路規制部材２１のルーバ３２の延長方向と第２の光路規制部材２２のルーバ３２の延長方向との成す角度が９０度で交差するようにしたが、９０度でなくとも良い。
【図面の簡単な説明】
【００３５】
【図１】本発明の計器用指針が適用された計器の部分正面図。
【図２】同計器の部分断面図（図１に於けるＡ−Ａ断面）。
【図３】本発明の計器用指針の分解斜視図。
【図４】同計器用指針の断面図（図１に於けるＢ−Ｂ断面）。
【図５】同遮光カバーに第２の光路規制部材を組み付けた状態図。
【図６】同遮光カバーに第２の光路規制部材と第１の光路規制部材を組み付けた状態図。
【符号の説明】
【００３６】
５  指示部
６  計器用指針
１６  指針用発光ダイオード（光源）
２１  第１の光路規制部材
２２  第２の光路規制部材
２４  遮光カバー
２６  受光部
３２  ルーバ
３３  中央部
３４  前部
３８，３８Ａ  幅広部（規制部）
４１  第１の突出部（被規制部）
４２  第２の突出部（被規制部）
４３  第３の突出部（被規制部）
【図１】
2007155353.tif 000003
【図２】
2007155353.tif 000004
【図３】
2007155353.tif 000005
【図４】
2007155353.tif 000006
【図５】
2007155353.tif 000007
【図６】
2007155353.tif 000008